(57)【要約】【課題】停電時に、手動操作による洗浄動作を容易にすること。【解決手段】実施形態に係る水洗大便器は、便器本体と、停電時洗浄機構とを備える。便器本体は、汚物を受ける。停電時洗浄機構は、停電時に、停電時洗浄を複数工程で実行させて、便器本体から汚物を排出させる。また、停電時洗浄機構は、操作レバーが手動操作によって初期位置から所定位置まで１回操作されることで、複数工程を自動的に実行させる。【選択図】図７
2019167752.tif 000002
【特許請求の範囲】
【請求項１】
汚物を受ける便器本体と、
停電時に、停電時洗浄を複数工程で実行させて、前記便器本体から前記汚物を排出させる停電時洗浄機構と
を備え、
前記停電時洗浄機構は、
操作レバーが手動操作によって初期位置から所定位置まで１回操作されることで、前記複数工程を自動的に実行させる
ことを特徴とする水洗大便器。
【請求項２】
前記停電時洗浄機構は、
前記操作レバーが前記所定位置まで操作され、前記操作レバーが解放された後に、前記複数工程を開始する
ことを特徴とする請求項１に記載の水洗大便器。
【請求項３】
前記便器本体は、
前記汚物を受け、リム吐水口が形成されるボウル部と、
前記ボウル部に接続され前記汚物を排出するとともに、ゼット吐水口が形成されるトラップ部と
を備え、
前記停電時洗浄機構は、
前記ボウル部を洗浄する洗浄水を前記リム吐水口から吐出させる第１工程と、
前記第１工程の開始後に前記ゼット吐水口からの洗浄水の吐出を開始させる第２工程と、
前記第２工程の開始後に前記リム吐水口から洗浄水を吐出させて、前記トラップ部への封水の形成を開始させる第３工程と
を停電時に前記操作レバーが前記１回操作されることで自動的に実行させる
ことを特徴とする請求項１または２に記載の水洗大便器。
【請求項４】
前記停電時洗浄機構は、
前記操作レバーが前記所定位置から前記初期位置まで戻る間に、前記リム吐水口から吐出させる洗浄水の流量、および前記ゼット吐水口から吐出させる洗浄水の流量を制御して前記複数工程を自動的に実行させる
ことを特徴とする請求項３に記載の水洗大便器。
【請求項５】
前記停電時洗浄機構は、
前記操作レバーを前記所定位置から前記初期位置に戻す方向に付勢する付勢部
を備えることを特徴とする請求項１〜４のいずれか一つに記載の水洗大便器。
【請求項６】
前記停電時洗浄機構は、
前記操作レバーが前記所定位置から前記初期位置まで戻る場合に、前記複数工程に応じて複数のスイッチを作動させる作動部と、
前記操作レバーが前記初期位置から前記所定位置まで操作される場合に、前記作動部を退避させることで、前記複数のスイッチが作動することを防止する退避部と
を備えることを特徴とする請求項１〜５のいずれか一つに記載の水洗大便器。
【請求項７】
前記作動部は、
前記操作レバーとともに回転し、回転に伴って前記複数のスイッチを押すことで、前記複数工程に応じて前記複数のスイッチを作動させる複数のスイッチ押し部を備え、
前記退避部は、
前記操作レバーが前記初期位置から前記所定位置まで操作される場合に、前記複数のスイッチ押し部を押し上げることで、前記複数のスイッチと前記複数のスイッチ押し部との間に隙間を生じさせる
ことを特徴とする請求項６に記載の水洗大便器。
【請求項８】
前記作動部は、
前記操作レバーの回転軸から偏心した回転軸を中心に回転可能であり、前記複数工程に応じて前記複数のスイッチを作動させる複数のスイッチ押し部と、
前記操作レバーが前記所定位置から前記初期位置まで戻る場合に、前記操作レバーの回転に対する前記複数のスイッチ押し部の相対的な回転を規制する規制部と
を備え、
前記退避部は、
前記操作レバーが前記初期位置から前記所定位置まで操作される場合に、前記操作レバーの回転に対して前記複数のスイッチ押し部を相対的に回転させることで、前記複数のスイッチ押し部を前記複数のスイッチに対して退避させる
ことを特徴とする請求項６に記載の水洗大便器。
【発明の詳細な説明】
【技術分野】
【０００１】
開示の実施形態は、水洗大便器に関する。
【背景技術】
【０００２】
従来、停電時に、手動操作によって汚物をボウル部から排出させる水洗大便器が知られている（例えば、特許文献１参照）。
【先行技術文献】
【特許文献】
【０００３】
【特許文献１】特開２０１３−２２７８５２号公報
【発明の概要】
【発明が解決しようとする課題】
【０００４】
しかしながら、停電時に手動操作によって汚物を排出する場合には、１回の洗浄動作に対して複数工程を手動操作によって行うため、操作が煩雑になるという問題がある。
【０００５】
実施形態の一態様は、停電時に、手動操作による洗浄動作を容易にする水洗大便器を提供することを目的とする。
【課題を解決するための手段】
【０００６】
実施形態の一態様に係る水洗大便器は、汚物を受ける便器本体と、停電時に、停電時洗浄を複数工程で実行させて、前記便器本体から前記汚物を排出させる停電時洗浄機構とを備え、前記停電時洗浄機構は、操作レバーが手動操作によって初期位置から所定位置まで１回操作されることで、前記複数工程を自動的に実行させることを特徴する。
【０００７】
これにより、水洗大便器は、停電時に、１回の手動操作で複数工程により汚物を排出することができる。そのため、水洗大便器は、停電時に、使用者に複雑な操作をさせることなく洗浄動作を容易に行うことができる。
【０００８】
また、前記停電時洗浄機構は、前記操作レバーが前記所定位置まで操作され、前記操作レバーが解放された後に、前記複数工程を開始することを特徴とする。
【０００９】
これにより、水洗大便器は、使用者の操作によって洗浄水の流量が変化することを抑制し、通常時と同様の洗浄を実行することができる。
【００１０】
また、前記便器本体は、汚物を受け、リム吐水口が形成されるボウル部と、前記ボウル部に接続され前記汚物を排出するとともに、ゼット吐水口が形成されるトラップ部とを備え、前記停電時洗浄機構は、前記ボウル部を洗浄する洗浄水を前記リム吐水口から吐出させる第１工程と、前記第１工程の開始後に前記ゼット吐水口からの洗浄水の吐出を開始させる第２工程と、前記第２工程の開始後に前記リム吐水口から洗浄水を吐出させて、前記トラップ部への封水の形成を開始させる第３工程とを停電時に前記操作レバーが前記１回操作されることで自動的に実行させることを特徴とする。
【００１１】
これにより、水洗大便器は、停電時に、操作レバーが手動操作により１回操作されることで、洗浄工程、排水工程、および封水工程を自動的に実行することができる。そのため、水洗大便器は、停電時に、通常時と同様の洗浄を、複雑な操作によらず実行することができる。
【００１２】
また、前記停電時洗浄機構は、前記操作レバーが前記所定位置から前記初期位置まで戻る間に、前記リム吐水口から吐出させる洗浄水の流量、および前記ゼット吐水口から吐出させる洗浄水の流量を制御して前記複数工程を自動的に実行させることを特徴とする。
【００１３】
これにより、水洗大便器は、停電時にも、汚物を通常時と同様に排出することができる。
【００１４】
また、前記停電時洗浄機構は、前記操作レバーを前記所定位置から前記初期位置に戻す方向に付勢する付勢部を備えることを特徴とする。
【００１５】
これにより、水洗大便器は、操作レバーを初期位置まで自動的に戻すことができる。
【００１６】
また、前記停電時洗浄機構は、前記操作レバーが前記所定位置から前記初期位置まで戻る場合に、前記複数工程に応じて複数のスイッチを作動させる作動部と、前記操作レバーが前記初期位置から前記所定位置まで操作される場合に、前記作動部を退避させることで、前記複数のスイッチが作動することを防止する退避部とを備えることを特徴とする。
【００１７】
これにより、水洗大便器は、操作レバーが初期位置から所定位置まで回転される場合に、各スイッチが押されることを防止することができる。
【００１８】
また、前記作動部は、前記操作レバーとともに回転し、回転に伴って前記複数のスイッチを押すことで、前記複数工程に応じて前記複数のスイッチを作動させる複数のスイッチ押し部を備え、前記退避部は、前記操作レバーが前記初期位置から前記所定位置まで操作される場合に、前記複数のスイッチ押し部を押し上げることで、前記複数のスイッチと前記複数のスイッチ押し部との間に隙間を生じさせることを特徴とする。
【００１９】
これにより、水洗大便器は、操作レバーが初期位置から所定位置まで回転される場合に、各スイッチが押されることを防止することができる。
【００２０】
また、前記作動部は、前記操作レバーの回転軸から偏心した回転軸を中心に回転可能であり、前記複数工程に応じて前記複数のスイッチを作動させる複数のスイッチ押し部と、前記操作レバーが前記所定位置から前記初期位置まで戻る場合に、前記操作レバーの回転に対する前記スイッチ押し部の相対的な回転を規制する規制部とを備え、前記退避部は、前記操作レバーが前記初期位置から前記所定位置まで操作される場合に、前記操作レバーの回転に対して前記複数のスイッチ押し部を相対的に回転させることで、前記複数のスイッチ押し部を前記複数のスイッチに対して退避させることを特徴とする。
【００２１】
これにより、水洗大便器は、操作レバーが初期位置から所定位置まで回転される場合に、各スイッチが押されることを防止することができる。
【発明の効果】
【００２２】
実施形態の一態様によれば、停電時に、手動操作による洗浄動作を容易にすることができる。
【図面の簡単な説明】
【００２３】
【図１】図１は、水洗大便器を示す模式側断面図である。
【図２】図２は、第１実施形態に係る便器本体の概略斜視図である。
【図３】図３は、第１実施形態に係る停電時洗浄機構の斜視図である。
【図４】図４は、第１実施形態に係る停電時洗浄機構の左側面図である。
【図５】図５は、第１実施形態に係る停電時洗浄機構の右側面図である。
【図６】図６は、第１実施形態に係る停電時洗浄機構の正面図である。
【図７】図７は、第１実施形態に係る停電時洗浄機構の一部を示す分解斜視図（その１）である。
【図８】図８は、第１実施形態に係る停電時洗浄機構の一部を示す分解斜視図（その２）である。
【図９】図９は、第１実施形態に係る停電時洗浄機構の一部の背面図（その１）である。
【図１０】図１０は、第１実施形態に係る停電時洗浄機構の一部の背面図（その２）である。
【図１１】図１１は、第１実施形態に係る停電時洗浄機構の一部の斜め後方斜視図（その１）である。
【図１２】図１２は、第１実施形態に係る停電時洗浄機構の一部の背面図（その３）である。
【図１３】図１３は、プレートずらし部が、プレート押し上げ部を手前側に押し上げた状態を示す図である。
【図１４】図１４は、第１実施形態に係る停電時洗浄機構の一部の斜め後方斜視図（その２）である。
【図１５】図１５は、第１実施形態に係る停電時洗浄機構の一部の背面図（その４）である。
【図１６】図１６は、第１リム用スイッチ押し部がリム用スイッチを押した状態を示す図（その１）である。
【図１７Ａ】図１７Ａは、第１リム用スイッチ押し部がリム用スイッチを押した状態を示す図（その２）である。
【図１７Ｂ】図１７Ｂは、ゼット用スイッチ押し部がゼット用スイッチを押した状態を示す図である。
【図１７Ｃ】図１７Ｃは、第２リム用スイッチ押し部がリム用スイッチを押した状態を示す図である。
【図１８】図１８は、第１実施形態に係る停電時洗浄機構の一部の背面図（その５）である。
【図１９】図１９は、第２実施形態に係る便器本体の概略斜視図である。
【図２０】図２０は、第２実施形態に係る停電時洗浄機構の斜視図（その１）である。
【図２１】図２１は、第２実施形態に係る停電時洗浄機構の斜視図（その２）である。
【図２２】図２２は、第２実施形態に係る停電時洗浄機構の分解斜視図である。
【図２３】図２３は、第２実施形態に係る停電時洗浄機構の正面図である。
【図２４Ａ】図２４Ａは、図２３のＡ−Ａ断面図（その１）である。
【図２４Ｂ】図２４Ｂは、図２３のＢ−Ｂ断面図（その１）である。
【図２４Ｃ】図２４Ｃは、図２３のＣ−Ｃ断面図（その１）である。
【図２５Ａ】図２５Ａは、図２３のＡ−Ａ断面図（その２）である。
【図２５Ｂ】図２５Ｂは、図２３のＢ−Ｂ断面図（その２）である。
【図２５Ｃ】図２５Ｃは、図２３のＣ−Ｃ断面図（その２）である。
【図２６Ａ】図２６Ａは、図２３のＡ−Ａ断面図（その３）である。
【図２６Ｂ】図２６Ｂは、図２３のＢ−Ｂ断面図（その３）である。
【図２６Ｃ】図２６Ｃは、図２３のＣ−Ｃ断面図（その３）である。
【図２７Ａ】図２７Ａは、図２３のＡ−Ａ断面図（その４）である。
【図２７Ｂ】図２７Ｂは、図２３のＢ−Ｂ断面図（その４）である。
【図２７Ｃ】図２７Ｃは、図２３のＣ−Ｃ断面図（その４）である。
【図２８Ａ】図２８Ａは、図２３のＡ−Ａ断面図（その５）である。
【図２８Ｂ】図２８Ｂは、図２３のＢ−Ｂ断面図（その５）である。
【図２８Ｃ】図２８Ｃは、図２３のＣ−Ｃ断面図（その５）である。
【図２９Ａ】図２９Ａは、図２３のＡ−Ａ断面図（その６）である。
【図２９Ｂ】図２９Ｂは、図２３のＢ−Ｂ断面図（その６）である。
【図２９Ｃ】図２９Ｃは、図２３のＣ−Ｃ断面図（その６）である。
【図３０Ａ】図３０Ａは、図２３のＡ−Ａ断面図（その７）である。
【図３０Ｂ】図３０Ｂは、図２３のＢ−Ｂ断面図（その７）である。
【図３０Ｃ】図３０Ｃは、図２３のＣ−Ｃ断面図（その７）である。
【図３１Ａ】図３１Ａは、図２３のＡ−Ａ断面図（その８）である。
【図３１Ｂ】図３１Ｂは、図２３のＢ−Ｂ断面図（その８）である。
【図３１Ｃ】図３１Ｃは、図２３のＣ−Ｃ断面図（その８）である。
【図３２Ａ】図３２Ａは、図２３のＡ−Ａ断面図（その９）である。
【図３２Ｂ】図３２Ｂは、図２３のＢ−Ｂ断面図（その９）である。
【図３２Ｃ】図３２Ｃは、図２３のＣ−Ｃ断面図（その９）である。
【発明を実施するための形態】
【００２４】
以下、添付図面を参照して、本願の開示する水洗大便器の実施形態を詳細に説明する。なお、以下に示す実施形態によりこの発明が限定されるものではない。
【００２５】
まず、水洗大便器１の全体構成について図１を参照して説明する。図１は、水洗大便器１を示す模式側断面図である。
【００２６】
図１においては、説明の便宜上、鉛直上向きを正方向とするＺ軸を含む３次元の直交座標系を図示している。なお、直交座標系は、他の図においても図示している場合がある。
【００２７】
直交座標系は、Ｘ軸の正方向視を「右側面」、Ｘ軸の負方向視を「左側面」と規定し、Ｘ軸の正方向を右側、およびＸ軸の負方向を左側と規定している。また、直交座標系は、Ｙ軸の正方向視を「正面」と規定し、Ｙ軸の正方向を前側（前方）、およびＹ軸の負方向を後側（後方）と規定している。また、直交座標系は、Ｚ軸の正方向を上側（上方）、およびＺ軸の負方向を下側（下方）と規定している。このため、以下の説明では、Ｘ軸方向を左右方向、Ｙ軸方向を前後方向、Ｚ軸方向を上下方向という場合がある。
【００２８】
図１に示すように、水洗大便器１は、便器本体２と、便器本体２に使用される洗浄水を貯える洗浄水タンク装置３とを備える。便器本体２は、トイレ室の床面に設置され、洗浄水タンク装置３は、便器本体２の上部に設置される。なお、便器本体２は、床置き式に限らず、壁掛け式であってもよい。また、洗浄水タンク装置３は、便器本体２から離れた場所に設置されてもよい。
【００２９】
便器本体２は、汚物を受けるボウル部２１と、洗浄水タンク装置３から供給される洗浄水をボウル部２１へ導く導水路２２と、ボウル部２１の下部に入口が接続され、ボウル部２１内の汚物を排水管（図示せず）へ排出する排水トラップ管路２３とを備える。排水トラップ管路２３は、トラップ部を構成する。
【００３０】
ボウル部２１には、排水トラップ管路２３の入口に向けて洗浄水を吐出するゼット吐水口２４と、リム部２５から洗浄水を吐出してボウル部２１内に洗浄水の旋回流を形成するリム吐水口２６とが形成される。導水路２２は、洗浄水タンク装置３から供給される洗浄水をゼット吐水口２４およびリム吐水口２６へ導く。
【００３１】
排水トラップ管路２３は、その入口から上方へ延びる上昇路部分と、上昇路部分の末端から下方に延びて排水管に接続される下降路部分とを備える。ボウル部２１から排水トラップ管路２３の上昇路部分にかけては、水封状態を形成するための洗浄水が貯留される。なお、以下においては、ボウル部２１および排水トラップ管路２３の上昇路部分に貯留される洗浄水を「溜水」と記載する。
【００３２】
水洗大便器１は、汚物を排出する場合には、まず、リム吐水口２６から洗浄水を吐出するリム給水を行い、ボウル部２１を洗浄しつつ、汚物をボウル部２１の中央付近に集める洗浄工程を行う。次に、水洗大便器１は、ゼット吐水口２４から洗浄水を吐出させて、サイホン作用を効率的に発生させつつ、ボウル部２１内の汚物を上記サイホン作用を利用して排水トラップ管路２３へ引き込んで排出する排出工程を行う。次に、水洗大便器１は、リム吐水口２６から洗浄水を吐出するリム給水を行い溜水の水位が所定水位となるように、封水工程を行う。すなわち、封水工程では、洗浄水による封水が形成される。
【００３３】
このように、水洗大便器１は、複数工程を実行することで、汚物を排出している。水洗大便器は、通常、複数工程、および複数工程における洗浄水の流量をコントローラ（不図示）によって制御している。なお、複数工程では、前工程が終了する前に次工程が開始されてもよい。
【００３４】
水洗大便器１は、停電時には、コントローラによって複数工程を実行して汚物を排出することができないため、停電時に汚物を排出するための停電時洗浄機構を有している。従来の水洗大便器は、停電時には、例えば、使用者が停電時操作レバー（以下、「操作レバー」と称する。）の操作方向を切り替えながら、操作レバーを操作することで、上記した給水工程、排出工程、封水工程を通常時と同様に実行することができる。
【００３５】
しかしながら、従来の水洗大便器は、使用者が、操作レバーを複数回、所定間隔で操作することで、通常時の複数工程を停電時に実行している。例えば、従来の水洗大便器は、操作レバーが初期位置から一方向に第１所定時間回転されることで、給水工程を実行し、その後、操作レバーが一方向とは逆方向の他方向に第２所定時間回転されることで、排水工程を実行している。そして、従来の水洗大便器は、排水工程後、操作レバーが一方向に第３所定時間回転されることで、封水工程を実行している。
【００３６】
このように、使用者が、操作レバーを手動操作することで通常時の複数工程による洗浄を行うには、操作レバーの操作方向と操作時間とを使用者が調整しなければならず、通常時と同様の洗浄を行うことが困難であった。
【００３７】
本実施形態に係る水洗大便器１は、停電時の洗浄操作を容易にする。以下において、本実施形態に係る水洗大便器１について詳しく説明する。
【００３８】
（第１実施形態）
第１実施形態に係る水洗大便器１について図２〜図８を参照し説明する。図２は、第１実施形態に係る便器本体２の概略斜視図である。図３は、第１実施形態に係る停電時洗浄機構４の斜視図である。図４は、第１実施形態に係る停電時洗浄機構４の左側面図である。図５は、第１実施形態に係る停電時洗浄機構４の右側面図である。図６は、第１実施形態に係る停電時洗浄機構４の正面図である。図７は、第１実施形態に係る停電時洗浄機構４の一部を示す分解斜視図（その１）である。図８は、第１実施形態に係る停電時洗浄機構４の一部を示す分解斜視図（その２）である。なお、図２〜図８は、停電時洗浄機構４が使用者によって操作されていない初期状態を示している。
【００３９】
また、以下では、板状の部材などでは、左側の面、すなわち左側面図において正面となる面を表面とし、表面とは逆側の面を裏面として説明することがある。また、Ｘ軸の負方向を手前側、Ｘ軸の正方向を奥側として説明することがある。
【００４０】
水洗大便器１は、便器本体２と、洗浄水タンク装置３（図１参照）と、停電時洗浄機構４とを備える。便器本体２、および洗浄水タンク装置３は、図１と同様の構成であり、ここでの詳しい説明は省略する。
【００４１】
停電時洗浄機構４は、便器本体２の左後方に設けられたケース５に収容される。停電時洗浄機構４では、使用者が操作可能となるように、操作レバー４０のハンドル部４５がケース５に形成された円弧状の孔５ａからケース５の外側に突出している。なお、停電時洗浄機構４は、便器本体２に収容され、蓋部などによって覆われてもよい。この場合、停電時には、蓋部を開くことで、操作レバー４０が操作可能となる。
【００４２】
停電時洗浄機構４は、使用者によって操作レバー４０が初期位置から動作開始位置（所定位置）まで回転されて、操作レバー４０が解放されると、複数工程を自動的に実行する。動作開始位置は、予め設定された位置であり、例えば、操作レバー４０が初期位置から９０度回転した位置である。なお、動作開始位置は、複数工程を開始する際に余裕代を設けてもよい。
【００４３】
停電時洗浄機構４は、支持部１０と、回転部１１と、プレートずらし部１２と、スイッチ部１３と、減速部１４とを備える。
【００４４】
支持部１０は、上面視において、Ｕ字状に形成され、回転部１１を回転可能に支持する。支持部１０は、第１支持部１５と、第２支持部１６と、接続部１７とを備える。第１支持部１５は、板状に形成される。第１支持部１５は、円形部３０と、円形部３０の周縁から後方に向けて延びる第１フランジ３１と、円形部３０の周縁から前方斜め上に向けて延びる第２フランジ３２とを備える。
【００４５】
円形部３０は、左右方向に延びる回転部１１の回転軸を中心として円形に形成される。円形部３０には、回転軸と同軸であり、回転部１１の軸部となるネジ３３が挿入される孔３０ａが形成される。また、円形部３０には、回転軸を中心とした円弧状であり、プレート押し上げ部４２のアーム５９が挿入される孔３０ｂが形成される。また、円形部３０の表面には、孔３０ａと孔３０ｂとの間に、アーム５９の先端に設けられた摺動部５９ａが摺動可能な摺動溝３０ｃが形成される。摺動溝３０ｃは、回転軸と同軸であり、環状に形成される。
【００４６】
また、円形部３０の裏面には、奥側へ向けて突出する突出部３０ｄが形成される。突出部３０ｄは、孔３０ａの周囲に形成される。突出部３０ｄは、操作レバー４０とともに、渦巻きバネ４７を挟持する。また、円形部３０の裏面には、奥側へ向けて突出し、渦巻きバネ４７の一端が係止される係止部３０ｅが形成される。
【００４７】
第２支持部１６は、板状に形成される。第２支持部１６は、第１支持部１５よりも奥側に配置され、第１支持部１５と向かい合うように形成される。第２支持部１６の表面には、プレートずらし部１２が、回転可能に取り付けられる。
【００４８】
また、第２支持部１６の裏面には、奥側に向けて突出し、スイッチ部１３を保持する保持枠１６ａが形成される。保持枠１６ａは、スイッチ部１３の外形形状に合わせて形成され、例えば、矩形状に形成される。
【００４９】
第２支持部１６には、スイッチ部１３のリム用スイッチ１３ａが挿入される孔１６ｂ、およびゼット用スイッチ１３ｂが挿入される孔１６ｃが形成される。孔１６ｂ、１６ｃは、前後方向に並んで形成される。また、第２支持部１６には、プレートずらし部１２の取付部６８が挿入される孔１６ｄが形成される。
【００５０】
接続部１７は、左右方向に沿って形成され、第１支持部１５と第２支持部１６とを接続する。接続部１７は、第１支持部１５の第１フランジ３１の上端と、第２支持部１６の上端とを接続する第１接続部１７ａと、第１フランジ３１の下端と、第２支持部１６の下端とを接続する第２接続部１７ｂとを備える。第２接続部１７ｂには、上方に向けて突出するストッパー１７ｃが形成される。ストッパー１７ｃは、プレートずらし部１２の回転を規制する。
【００５１】
回転部１１は、操作レバー４０と、プッシュプレート４１と、プレート押し上げ部４２とを備える。回転部１１の大部分は、支持部１０の第１支持部１５と第２支持部１６との間に配置される。
【００５２】
操作レバー４０は、板状に形成される。操作レバー４０は、円形部４４と、円形部４４の周縁から下方に向けて延びるハンドル部４５とを備える。操作レバー４０は、ネジ３３やナット３４などによって第１支持部１５に対して回転可能となるように取り付けられる。
【００５３】
円形部４４の前方の周縁には、ギア４４ａが形成される。ギア４４ａは、減速部１４の第１ギア１４ａと噛み合う。また、円形部４４の表面には、手前側に突出し、渦巻きバネ４７の他端が係止される係止部４４ｂが形成される。
【００５４】
円形部４４には、ネジ３３が挿入される孔４４ｃと、プッシュプレート４１のピン５０ａ〜５０ｃが挿入される孔４４ｄ〜４４ｆとが形成される。また、円形部４４には、圧縮コイルバネ５４ａ、５４ｂ、６１の一端が挿入される孔４４ｇ〜４４ｉが形成され、圧縮コイルバネ５４ａ、５４ｂ、６１の一端が係止される。
【００５５】
円形部４４と第１支持部１５の突出部３０ｄとの間には、一対のバネ保持板４６ａ、４６ｂによって挟まれた渦巻きバネ４７が配置される。渦巻きバネ４７は、操作レバー４０が初期位置から、例えば、９０度回転して動作開始位置まで操作され、操作レバー４０が解放された場合に、操作レバー４０などの回転部１１が初期位置に戻るように付勢力を発生させる。渦巻きバネ４７は、付勢部を構成する。
【００５６】
ハンドル部４５は、クランク状に形成され、一部が手前側に突出するように形成される。ハンドル部４５の手前側に突出する部位は、ケース５の孔５ａに挿入される。すなわち、ハンドル部４５の一部は、孔５ａからケース５の外側（手前側）に突出するように設けられる。なお、ハンドル部４５は、クランク状に限定されず、使用者が操作可能となるようにケース５の外側に突出すればよく、例えば、Ｌ字状であってもよい。
【００５７】
プッシュプレート４１は、第２支持部１６と、操作レバー４０の円形部４４との間に配置される。プッシュプレート４１は、扇状に形成される。
【００５８】
プッシュプレート４１の表面には、手前側（操作レバー４０側）に向けて突出する３本のピン５０ａ〜５０ｃが形成される。ピン５０ａ〜５０ｃは、円柱状であり、操作レバー４０の円形部４４に形成された孔４４ｄ〜４４ｆに挿入される。なお、ピン５０ａ〜５０ｃは、孔４４ｄ〜４４ｆを貫通するように形成される。
【００５９】
プッシュプレート４１は、ピン５０ａ〜５０ｃが操作レバー４０の円形部４４の孔４４ｄ〜４４ｆに挿入されることで、操作レバー４０の円形部４４と一体的に回転する。また、ピン５０ａ〜５０ｃは、孔４４ｄ〜４４ｆに対して左右方向に摺動可能である。すなわち、プッシュプレート４１は、操作レバー４０と一体的に回転し、かつ操作レバー４０に対して左右方向へ移動可能である。
【００６０】
プッシュプレート４１と操作レバー４０の円形部４４との間のピン５０ａ、５０ｂの周囲には、圧縮コイルバネ５４ａ、５４ｂが配置される。プッシュプレート４１は、圧縮コイルバネ５４ａ、５４ｂによって奥側（第２支持部１６側）に向けて付勢されている。圧縮コイルバネ５４ａ、５４ｂの一端は、操作レバー４０の円形部４４に係止され、圧縮コイルバネ５４ａ、５４ｂの他端は、プッシュプレート４１に係止される。
【００６１】
また、プッシュプレート４１の裏面には、奥側に向けて突出するスイッチ押し部５１が形成される。スイッチ押し部５１は、回転部１１の回転軸を中心として円弧状に形成される。スイッチ押し部５１は、停電時に複数工程の洗浄を実行可能となるように複数形成される。具体的には、スイッチ押し部５１は、第１リム用スイッチ押し部５１ａと、第２リム用スイッチ押し部５１ｂと、ゼット用スイッチ押し部５１ｃとを備える。スイッチ押し部５１は、作動部を構成する。
【００６２】
第１リム用スイッチ押し部５１ａ、および第２リム用スイッチ押し部５１ｂは、略同一径であり、かつ周方向に離れて形成される。第１リム用スイッチ押し部５１ａは、洗浄工程を実行する場合に、リム用スイッチ１３ａを押すように形成される。第２リム用スイッチ押し部５１ｂは、封水工程を実行する場合に、リム用スイッチ１３ａを押すように形成される。
【００６３】
ゼット用スイッチ押し部５１ｃは、第１リム用スイッチ押し部５１ａ、および第２リム用スイッチ押し部５１ｂよりも径方向内側に形成される。ゼット用スイッチ押し部５１ｃは、排出工程を実行する場合に、ゼット用スイッチ１３ｂを押すように形成される。
【００６４】
なお、各スイッチ押し部５１ａ〜５１ｃの突出量や、周方向の長さは、各工程における洗浄水の流量、すなわち各工程のシーケンスに応じて設定される。
【００６５】
プッシュプレート４１では、第１リム用スイッチ押し部５１ａ、および第２リム用スイッチ押し部５１ｂが、ゼット用スイッチ１３ｂよりも径方向外側に形成されることで、第１リム用スイッチ押し部５１ａ、および第２リム用スイッチ押し部５１ｂの周方向の長さを調整することが容易となる。そのため、複数工程中に２回押されるリム用スイッチ１３ａの押し時間、すなわち洗浄水の流量の調整が容易となる。
【００６６】
プレート押し上げ部４２は、フレーム部５６と、押し上げ部５７と、取付部５８と、アーム５９とを備える。プレート押し上げ部４２は、取付部５８を介してプッシュプレート４１に取り付けられ、プッシュプレート４１と一体的に移動する。すなわち、プレート押し上げ部４２は、プッシュプレート４１とともに操作レバー４０と一体的に回転し、かつプッシュプレート４１とともに操作レバー４０に対して左右方向へ移動可能である。プレート押し上げ部４２は、退避部を構成する。
【００６７】
フレーム部５６は、プッシュプレート４１と第１支持部１５との間に配置される。フレーム部５６は、回転部１１の回転軸を中心とした円弧状に形成される。
【００６８】
押し上げ部５７は、フレーム部５６から奥側に向けて延出して形成される。押し上げ部５７は、回転部１１の回転軸を中心とした円弧状に形成される。
【００６９】
押し上げ部５７には、周方向における先端側、具合的には、操作レバー４０が初期位置から動作開始位置まで回転する方向における押し上げ部５７の先端側に、テーパ面５７ａが形成される。また、押し上げ部５７には、テーパ面５７ａから周方向に沿って、プレートずらし部１２の突出部６６に摺動する摺動面５７ｂが形成される。押し上げ部５７は、摺動面５７ｂがプレートずらし部１２の突出部６６に摺動することで手前側に押し出される。
【００７０】
押し上げ部５７は、操作レバー４０が初期位置から動作開始位置まで回転される場合に、プッシュプレート４１の各スイッチ押し部５１ａ〜５１ｃが、各スイッチ１３ａ、１３ｂに当接することを防止するように形成される。
【００７１】
摺動面５７ｂの周方向の長さは、操作レバー４０が初期位置から動作開始位置まで回転される場合に、各スイッチ押し部５１ａ〜５１ｃが、手前側に押し上げられ、各スイッチ１３ａ、１３ｂとの間に隙間を形成した状態で、各スイッチ１３ａ、１３ｂの手前側を通過するように設定される。
【００７２】
取付部５８は、フレーム部５６の手前側の端から径方向内側に向けて延出して形成される。取付部５８には、取付孔５８ａが形成され、取付孔５８ａに取付部材６０を介してプッシュプレート４１のピン５０ｃが取り付けられ、固定される。例えば、取付部材６０は、取付孔５８ａに接着され、または圧入されて固定される。また、例えば、ピン５０ｃは、取付部材６０に接着され、または圧入されて固定される。
【００７３】
これにより、プレート押し上げ部４２は、プッシュプレート４１とともに回転し、プッシュプレート４１とともに操作レバー４０に対して左右方向に移動可能となる。
【００７４】
また、取付部５８と操作レバー４０との間のピン５０ｃの周囲には、圧縮コイルバネ６１が配置される。プレート押し上げ部４２、およびプッシュプレート４１は、圧縮コイルバネ６１によって、手前側に向けて付勢される。圧縮コイルバネ６１の一端は、取付部５８に係止され、圧縮コイルバネ６１の他端は、操作レバー４０に係止される。
【００７５】
なお、圧縮コイルバネ５４ａ、５４ｂと、圧縮コイルバネ６１とは、操作レバー４０に対して逆側に配置されており（図１３参照）、圧縮コイルバネ５４ａ、５４ｂは、プッシュプレート４１およびプレート押し上げ部４２を奥側に付勢し、圧縮コイルバネ６１は、プッシュプレート４１およびプレート押し上げ部４２を手前側に付勢する。
【００７６】
圧縮コイルバネ５４ａ、５４ｂ、６１のバネ定数は、プレートずらし部１２によって、プッシュプレート４１およびプレート押し上げ部４２が手前側に押し上げられていない場合、例えば、操作レバー４０が初期位置にある場合や、操作レバー４０が動作開始位置から初期位置に戻る場合には、プレート押し上げ部４２およびプッシュプレート４１が奥側に付勢されるように設定されている。
【００７７】
アーム５９は、取付部５８の径方向内側の端から手前側に向けて突出し、Ｌ字状に形成される。アーム５９は、第１支持部１５の孔３０ｂに挿入される。アーム５９の手前側の先端には、奥側に向けて摺動部５９ａが形成される。摺動部５９ａは、球状に形成される。プレート押し上げ部４２が手前側に押し上げられていない場合には、摺動部５９ａが、摺動溝３０ｃに当接することで、プレート押し上げ部４２およびプッシュプレート４１の奥側への移動が規制される。
【００７８】
プレートずらし部１２は、取付部６８を介して第２支持部１６に回転可能に取り付けられる。プレートずらし部１２は、ケース６５と、突出部６６と、ねじりコイルバネ６７とを備える。プレートずらし部１２は、退避部を構成する。
【００７９】
ケース６５は、環状であり、第２支持部１６側に開口部６５ａが形成され、ねじりコイルバネ６７を収容する。ケース６５の外周壁には、操作レバー４０が初期位置から動作開始位置まで回転される場合に、ストッパー１７ｃに当接し、プレートずらし部１２の回転を規制する突起部６５ｂが形成される。
【００８０】
プレートずらし部１２は、プレートずらし部１２の初期位置から回転した場合には、プレートずらし部１２の初期位置に向けてねじりコイルバネ６７によって付勢される。プレートずらし部１２の初期位置は、操作レバー４０が初期位置から動作開始位置まで回転される場合に、突出部６６が押し上げ部５７のテーパ面５７ａに当接可能な位置である。
【００８１】
突出部６６は、プレートずらし部１２の表面から手前側に向けて突出して形成される。突出部６６の表面には、操作レバー４０が初期位置から動作開始位置に向けて回転される場合に、プレート押し上げ部４２のテーパ面５７ａと摺動するテーパ面６６ａと、プレート押し上げ部４２の摺動面５７ｂと摺動する摺動面６６ｂとが形成される。
【００８２】
スイッチ部１３は、リム用スイッチ１３ａと、ゼット用スイッチ１３ｂとを備える。リム用スイッチ１３ａおよびゼット用スイッチ１３ｂは、前後方向に並んで配置される。すなわち、スイッチ部１３は、前後方向に、リム用スイッチ１３ａとゼット用スイッチ１３ｂとが配置される縦置きのスイッチである。リム用スイッチ１３ａは、ゼット用スイッチ１３ｂよりも後方に配置される。
【００８３】
リム用スイッチ１３ａは、第１リム用スイッチ押し部５１ａ、および第２リム用スイッチ押し部５１ｂによって押された場合に、リム吐水口２６から洗浄水を吐水させる機械式のスイッチである。ゼット用スイッチ１３ｂは、ゼット用スイッチ押し部５１ｃによって押された場合に、ゼット吐水口２４から洗浄水を吐水させる機械式のスイッチである。
【００８４】
減速部１４は、ガバナである。減速部１４は、操作レバー４０が手動操作によって初期位置から動作開始位置まで回転されて、操作レバー４０が解放された場合に、渦巻きバネ４７の付勢力に対して、予め設定された回転速度で、操作レバー４０が初期位置まで戻るように制動力を発生させる。
【００８５】
減速部１４は、第１支持部１５の第２フランジ３２に回転可能に支持される。減速部１４は、操作レバー４０の円形部４４に形成されたギア４４ａに噛み合う第１ギア１４ａと、第１ギア１４ａよりも歯数が多い第２ギア１４ｂと、棒テンプ１４ｃとを備える。第２ギア１４ｂは、例えば、ケース５に設けた内歯車（不図示）に噛み合う。
【００８６】
なお、減速部１４は、上記構成に限定されることはなく、操作レバー４０が動作開始位置まで回転され、操作レバー４０が解放された場合に、渦巻きバネ４７の付勢力に対して、操作レバー４０が予め設定された回転速度で初期位置まで戻るように制動力を発生させればよい。
【００８７】
停電時洗浄機構４では、各スイッチ押し部５１ａ〜５１ｃの周方向の長さや、操作レバー４０が初期位置に戻る際の回転速度などを調整することで、各工程の洗浄水の流量、すなわち各工程のシーケンスを調整し、制御することができる。
【００８８】
次に、停電時洗浄機構４の動作について図９〜図１８を参照し説明する。なお、図９〜図１８では、一部の構成を説明のため省略している。
【００８９】
図９は、第１実施形態に係る停電時洗浄機構４の一部の背面図（その１）である。図１０は、第１実施形態に係る停電時洗浄機構４の一部の背面図（その２）である。図１１は、第１実施形態に係る停電時洗浄機構４の一部の斜め後方斜視図（その１）である。図１２は、第１実施形態に係る停電時洗浄機構４の一部の背面図（その３）である。
【００９０】
図１３は、プレートずらし部１２が、プレート押し上げ部４２を手前側に押し上げた状態を示す図である。図１４は、第１実施形態に係る停電時洗浄機構４の一部の斜め後方斜視図（その２）である。図１５は、第１実施形態に係る停電時洗浄機構４の一部の背面図（その４）である。
【００９１】
図１６は、第１リム用スイッチ押し部５１ａがリム用スイッチ１３ａを押した状態を示す図（その１）である。図１７Ａは、第１リム用スイッチ押し部５１ａがリム用スイッチ１３ａを押した状態を示す図（その２）である。図１７Ｂは、ゼット用スイッチ押し部５１ｃがゼット用スイッチ１３ｂを押した状態を示す図である。図１７Ｃは、第２リム用スイッチ押し部５１ｂがリム用スイッチ１３ａを押した状態を示す図である。図１８は、第１実施形態に係る停電時洗浄機構４の一部の背面図（その５）である。
【００９２】
停電時洗浄機構４は、操作レバー４０が操作されておらず、初期位置にある場合には、図９に示すように、プレート押し上げ部４２は、プレートずらし部１２とは離れており、プレート押し上げ部４２は、手前側に押し上げられない。また、各スイッチ１３ａ、１３ｂは、プレート押し上げ部４２によって押されることはない。なお、プレートずらし部１２は、プレートずらし部１２の初期位置にある。
【００９３】
操作レバー４０が初期位置から動作開始位置に向けて回転されると、プレート押し上げ部４２のテーパ面５７ａが、図１０に示すように、プレートずらし部１２の突出部６６のテーパ面６６ａに当接する。テーパ面５７ａ、６６ａ同士が当接した状態でさらに操作レバー４０が回転されると、プレートずらし部１２は、図１１において矢印で示すように、ねじりコイルバネ６７の付勢力に抗して、プレートずらし部１２の初期位置から回転する。
【００９４】
操作レバー４０がさらに動作開始位置に向けて回転されると、プレートずらし部１２の突起部６５ｂ（図８参照）がストッパー１７ｃ（図７参照）に当接し、プレートずらし部１２の回転が規制される。そして、操作レバー４０がさらに動作開始位置に向けて回転されると、プレート押し上げ部４２が、プレートずらし部１２の突出部６６に乗り上げ、図１２において矢印で示すように、手前側に押し上げられる。プレートずらし部１２の突出部６６に乗り上げた後は、プレート押し上げ部４２は、摺動面５７ｂをプレートずらし部１２の突出部６６の摺動面６６ｂに摺動させながら、操作レバー４０とともに回転する。
【００９５】
また、プレート押し上げ部４２が手前側に押し上げられることで、図１３に示すように、プッシュプレート４１は、圧縮コイルバネ５４ａ、５４ｂの付勢力に抗して手前側に押し上げられる。
【００９６】
プッシュプレート４１が、手前側に押し上げられることで、プッシュプレート４１の各スイッチ押し部５１ａ〜５１ｃは、各スイッチ１３ａ、１３ｂよりも手前側に押し上げられる。この状態では、左右方向において、各スイッチ押し部５１ａ〜５１ｃと、各スイッチ１３ａ、１３ｂとの間に、隙間が形成される。そして、操作レバー４０が回転されると、各スイッチ押し部５１ａ〜５１ｃは、各スイッチ１３ａ、１３ｂとの間に隙間を形成した状態で、各スイッチ１３ａ、１３ｂの手前側を通過する。そのため、各スイッチ１３ａ、１３ｂが、各スイッチ押し部５１ａ〜５１ｃによって押されることはない。
【００９７】
すなわち、プレートずらし部１２は、操作レバー４０が初期位置から動作開始位置まで回転される場合に、各スイッチ押し部５１ａ〜５１ｃを手前側に退避させることで、各スイッチ１３ａ、１３ｂが作動することを防止する。
【００９８】
このように、操作レバー４０が初期位置から動作開始位置まで回転される場合に、各スイッチ押し部５１ａ〜５１ｃは、各スイッチ１３ａ、１３ｂに当接せず、各スイッチ１３ａ、１３ｂが押されることはない。
【００９９】
操作レバー４０がさらに動作開始位置に向けて回転され、各スイッチ押し部５１ａ〜５１ｃが、各スイッチ１３ａ、１３ｂの手前側を通過した後に、プレート押し上げ部４２の摺動面５７ｂは、プレートずらし部１２の突出部６６の摺動面６６ｂに摺動しなくなる。これにより、プレートずらし部１２は、ねじりコイルバネ６７の付勢力により、図１４において矢印で示すように、回転する。
【０１００】
また、プッシュプレート４１（図１３参照）、およびプレート押し上げ部４２は、圧縮コイルバネ５４ａ、５４ｂ（図１３参照）の付勢力によって、図１５において矢印で示すように、奥側に移動する。
【０１０１】
なお、図１３に示すように、プレート押し上げ部４２の取付部５８と、操作レバー４０との間に圧縮コイルバネ６１が設けられており、プッシュプレート４１、およびプレート押し上げ部４２が奥側に移動する際に、圧縮コイルバネ６１が収縮することで制動力が作用する。そのため、プレート押し上げ部４２が、圧縮コイルバネ５４ａ、５４ｂの付勢力によって奥側に勢いよく移動することが抑制され、停電時洗浄機構４が劣化することを抑制することができる。
【０１０２】
操作レバー４０が動作開始位置まで回転された後に、使用者が操作レバー４０を放し、操作レバー４０が解放された場合には、渦巻きバネ４７の付勢力によって、操作レバー４０は、初期位置に向けて回転する。なお、操作レバー４０は、減速部１４によって初期位置までの回転速度が調整され、回転する。
【０１０３】
操作レバー４０が初期位置に向けて回転すると、操作レバー４０とともにプッシュプレート４１が回転する。そして、第１リム用スイッチ押し部５１ａが、図１６、および図１７Ａに示すように、リム用スイッチ１３ａを押し、洗浄工程か実行される。洗浄工程は、第１リム用スイッチ押し部５１ａが、リム用スイッチ１３ａを押している間、実行される。
【０１０４】
第１リム用スイッチ押し部５１ａの周方向の長さ、および操作レバー４０の回転速度は、洗浄工程においてリム吐水口２６から吐出される洗浄水の流量が、通常時の流量と等しくなるように設定されている。
【０１０５】
さらに、操作レバー４０が初期位置に向けて回転すると、第１リム用スイッチ押し部５１ａがリム用スイッチ１３ａから離れ、図１７Ｂに示すように、ゼット用スイッチ押し部５１ｃが、ゼット用スイッチ１３ｂを押し、排出工程が実行される。排出工程は、ゼット用スイッチ押し部５１ｃが、ゼット用スイッチ１３ｂを押している間、実行される。
【０１０６】
ゼット用スイッチ押し部５１ｃの周方向の長さ、および操作レバー４０の回転速度は、排出工程においてゼット吐水口２４から吐出される洗浄水の流量が、通常時の流量に等しくなるように設定されている。
【０１０７】
さらに、操作レバー４０が初期位置に向けて回転すると、ゼット用スイッチ押し部５１ｃがゼット用スイッチ１３ｂから離れ、図１７Ｃに示すように、第２リム用スイッチ押し部５１ｂがリム用スイッチ１３ａを押し、封水工程が実行される。封水工程は、第２リム用スイッチ押し部５１ｂがリム用スイッチ１３ａを押している間、実行される。
【０１０８】
第２リム用スイッチ押し部５１ｂの周方向の長さ、および操作レバー４０の回転速度は、封水工程においてリム吐水口２６から吐出される洗浄水の流量が、通常時の流量に等しくなるように設定されている。
【０１０９】
このように、操作レバー４０が動作開始位置まで回転された後に、操作レバー４０が解放されると、洗浄工程、排水工程、および封水工程が自動的に実行される。また、各工程における洗浄水の流量は、停電時洗浄機構４による機械的な動作により、制御されている。
【０１１０】
なお、操作レバー４０が初期位置に向けて回転する場合には、プレートずらし部１２がプレートずらし部１２の初期位置に向けて回転した場合でも、図１８に示すように、プレートずらし部１２の突出部６６は、プレート押し上げ部４２の押し上げ部５７の外周壁に当接し、操作レバー４０が初期位置に向けて回転することが妨げられることはない。
【０１１１】
また、例えば、操作レバー４０が初期位置に向けて回転する前に、プレートずらし部１２がねじりコイルバネ６７の付勢力によって、プレートずらし部１２の初期位置まで戻った場合には、プレートずらし部１２の突出部６６は、プレート押し上げ部４２の押し上げ部５７によって押され、図１４において矢印に示す方向へ回転する。そのため、操作レバー４０が初期位置に向けて回転することが妨げられることはない。
【０１１２】
停電時洗浄機構４は、停電時に、操作レバー４０が手動操作により１回操作されることで、複数工程を自動的に実行する。これにより、水洗大便器１は、停電時に、使用者に複雑な操作をさせることなく洗浄動作を容易に行うことができる。
【０１１３】
また、停電時洗浄機構４は、停電時に、操作レバー４０が手動操作により１回操作されることで、洗浄工程、排水工程、および封水工程を自動的に実行する。これにより、水洗大便器１は、停電時に、使用者に複雑な操作をさせることなく、通常時と同様の洗浄を実行することができる。
【０１１４】
例えば、使用者が操作レバー４０を初期位置から回転させている途中で、複数工程を開始すると、使用者の操作レバーの操作時間に応じて洗浄水の流量が変わり、汚物が排出されないおそれがある。
【０１１５】
これに対し、停電時洗浄機構４は、操作レバー４０が初期位置から動作開始位置まで回転され、操作レバー４０が解放された後に、複数工程を開始する。これにより、水洗大便器１は、使用者の操作によって洗浄水の流量が変わることを抑制することができ、汚物を通常時と同様に排出することができ、通常時と同様の洗浄を実行することができる。
【０１１６】
停電時洗浄機構４は、洗浄工程、および封水工程におけるリム吐水口２６から吐出させる洗浄水の流量、および排出工程におけるゼット吐水口２４から吐出させる洗浄水の流量を制御し、洗浄工程、排水工程、および封水工程を自動的に実行する。これにより、停電時にも、汚物を通常時と同様に排出することができる。
【０１１７】
停電時洗浄機構４は、操作レバー４０を動作開始位置から初期位置まで戻す方向に渦巻きバネ４７により付勢する。これにより、操作レバー４０を初期位置まで自動的に戻すことができる。
【０１１８】
停電時洗浄機構４は、操作レバー４０が初期位置から動作開始位置まで回転される場合に、各スイッチ押し部５１ａ〜５１ｃを手前側に押し上げ、各スイッチ押し部５１ａ〜５１ｃと各スイッチ１３ａ、１３ｂとの間に隙間を生じさせる。これにより、操作レバー４０が初期位置から動作開始位置まで回転される場合に、各スイッチ１３ａ、１３ｂが押されることを防止することができる。
【０１１９】
（第２実施形態）
次に第２実施形態の水洗大便器１について図１９〜図２３を参照し説明する。第２実施形態の水洗大便器１は、停電時洗浄機構４が、第１実施形態とは異なっており、ここでは、停電時洗浄機構４について説明する。図１９は、第２実施形態に係る便器本体２の概略斜視図である。図２０は、第２実施形態に係る停電時洗浄機構４の斜視図（その１）である。図２１は、第２実施形態に係る停電時洗浄機構４の斜視図（その２）である。図２２は、第２実施形態に係る停電時洗浄機構４の分解斜視図である。図２３は、第２実施形態に係る停電時洗浄機構４の正面図である。なお、図２０〜図２２では、減速部７２を省略している。また、図２１、図２３では、支持ケース７０の一部を省略している。
【０１２０】
停電時洗浄機構４は、水洗大便器１の左後方に設けられる。停電時洗浄機構４は、支持ケース７０と、回転部７１と、スイッチ部１３と、減速部７２とを備える。なお、停電時洗浄機構４は、便器本体２に収容され、蓋部などによって覆われてもよい。
【０１２１】
支持ケース７０は、回転部７１の一部を収容する。左右方向に向かい合う支持ケース７０の壁７０ａ、７０ｂには、回転部７１の回転軸部７６が挿入される孔７０ｃ、７０ｄが形成される。支持ケース７０は、回転部７１を回転可能に支持する。支持ケース７０の後方の壁７０ｅには、リム用スイッチ１３ａが挿入される孔７０ｆ、およびゼット用スイッチ１３ｂが挿入される孔７０ｇが形成される。孔７０ｆ、７０ｇは、左右方向に並んで形成される。
【０１２２】
また、支持ケース７０には、後方に向けて突出し、スイッチ部１３を保持する保持枠７０ｈが形成される。なお、支持ケース７０は、複数の部材によって形成されてもよく、支持ケース７０は、例えば、上下方向に分かれた２つの部材によって形成されてもよい。
【０１２３】
回転部７１は、操作レバー７５と、回転軸部７６と、スイッチ押し部７７とを備える。操作レバー７５は、支持ケース７０よりも手前側に配置される。
【０１２４】
回転軸部７６は、円柱状であり、操作レバー７５の基端部に取り付けられる。例えば、回転軸部７６は、操作レバー７５の基端部に形成された凹部（不図示）に接着され、または圧入されることで、操作レバー７５に取り付けられる。これにより、回転軸部７６と操作レバー７５とは一体となり、回転する。
【０１２５】
回転軸部７６の奥側の端部には、全周にわたり溝部７８が形成される。支持ケース７０よりも奥側の溝部７８には、ストッパー７９が配置される。ストッパー７９は、Ｃ字状に形成され、支持ケース７０に当接し、支持ケース７０から回転軸部７６が抜けることを防止する。また、回転軸部７６には、奥側の端部に減速部７２が取り付けられる。
【０１２６】
回転軸部７６には、第１切欠部８０と、第２切欠部８１と、第３切欠部８２とが形成される。回転軸部７６には、手前側から奥側にかけて、第２切欠部８１、第１切欠部８０、第３切欠部８２が形成される。第１切欠部８０、第２切欠部８１および第３切欠部８２は、退避部を構成する。
【０１２７】
第１切欠部８０は、リム用スイッチ１３ａと向かい合うように形成される。第１切欠部８０には、第１リム用スイッチ押し部７７ａが設けられる。第１切欠部８０は、左右方向に向かう合う側壁８０ａ、８０ｂと、側壁８０ａ、８０ｂの間に形成され、第１リム用スイッチ押し部７７ａを下方から支持可能な支持壁８０ｃ（図２４Ｂ参照）と、側壁８０ａ、８０ｂの間に形成され、支持壁８０ｃに接続する背面壁８０ｄ（図２４Ｂ参照）とにより形成される。
【０１２８】
支持壁８０ｃは、操作レバー７５が動作開始位置から初期位置に向けて回転する場合に、第１リム用スイッチ押し部７７ａを下方から支持し、操作レバー７５に対する第１リム用スイッチ押し部７７ａの相対的な回転を規制する。支持壁８０ｃは、操作レバー７５が動作開始位置から初期位置に向けて回転する場合に、第１リム用スイッチ押し部７７ａがリム用スイッチ１３ａを押して、洗浄工程を実行するように形成される。支持壁８０ｃは、規制部を構成する。
【０１２９】
背面壁８０ｄは、操作レバー７５が初期位置から動作開始位置に向けて回転され、第１リム用スイッチ押し部７７ａが、リム用スイッチ１３ａの上端に当接した場合に、第１リム用スイッチ押し部７７ａが、操作レバー７５の回転に対して相対的に回転可能となるように形成される。具体的には、背面壁８０ｄは、第１リム用スイッチ押し部７７ａが、リム用スイッチ１３ａを押さずに、操作レバー７５の回転に対して相対的に回転し、退避可能となるように形成される。
【０１３０】
第２切欠部８１は、リム用スイッチ１３ａと向かい合うように形成される。第２切欠部８１には、第２リム用スイッチ押し部７７ｂが設けられる。第２切欠部８１は、左右方向に向かう合う側壁８１ａ、８１ｂと、側壁８１ａ、８１ｂの間に形成され、第２リム用スイッチ押し部７７ｂを下方から支持可能な支持壁８１ｃ（図２４Ａ参照）と、側壁８１ａ、８１ｂの間に形成され、支持壁８１ｃに接続する背面壁８１ｄ（図２４Ａ参照）とにより形成される。
【０１３１】
支持壁８１ｃは、操作レバー７５が動作開始位置から初期位置に向けて回転する場合に、第２リム用スイッチ押し部７７ｂを下方から支持し、操作レバー７５に対する第２リム用スイッチ押し部７７ｂの相対的な回転を規制する。支持壁８１ｃは、操作レバー７５が動作開始位置から初期位置に向けて回転する場合に、第２リム用スイッチ押し部７７ｂがリム用スイッチ１３ａを押して、封水工程を実行するように形成される。支持壁８１ｃは、規制部を構成する。
【０１３２】
支持壁８１ｃは、第２リム用スイッチ押し部７７ｂが、第１リム用スイッチ押し部７７ａよりも遅いタイミングでリム用スイッチ１３ａに当接するように形成される。
【０１３３】
背面壁８１ｄは、操作レバー７５が初期位置から動作開始位置に向けて回転され、第２リム用スイッチ押し部７７ｂが、リム用スイッチ１３ａの上端に当接した場合に、第２リム用スイッチ押し部７７ｂが、操作レバー７５の回転に対して相対的に回転可能となるように形成される。具体的には、背面壁８１ｄは、第２リム用スイッチ押し部７７ｂが、リム用スイッチ１３ａを押さずに、操作レバー７５の回転に対して相対的に回転し、退避可能となるように形成される。
【０１３４】
第３切欠部８２は、ゼット用スイッチ１３ｂと向かい合うように形成される。第３切欠部８２には、ゼット用スイッチ押し部５１ｃが設けられる。第３切欠部８２は、左右方向に向かう合う側壁８２ａ、８２ｂと、側壁８２ａ、８２ｂの間に形成され、後述するゼット用スイッチ押し部７７ｃを下方から支持可能な支持壁８２ｃ（図２４Ｃ参照）と、側壁８２ａ、８２ｂの間に形成され、支持壁８２ｃに接続する背面壁８２ｄ（図２４Ｃ参照）とにより形成される。
【０１３５】
支持壁８２ｃは、操作レバー７５が動作開始位置から初期位置に向けて回転する場合に、ゼット用スイッチ押し部７７ｃを下方から支持し、操作レバー７５に対するゼット用スイッチ押し部７７ｃの相対的な回転を規制する。支持壁８２ｃは、操作レバー７５が動作開始位置から初期位置に向けて回転した場合に、ゼット用スイッチ押し部７７ｃがゼット用スイッチ１３ｂを押して、排出工程を実行するように形成される。支持壁８２ｃは、規制部を構成する。
【０１３６】
支持壁８２ｃは、操作レバー７５が初期位置から動作開始位置に向けて回転する場合に、第１リム用スイッチ押し部７７ａがリム用スイッチ１３ａに当接するタイミングよりも遅く、かつ第２リム用スイッチ押し部７７ｂがリム用スイッチ１３ａに当接するタイミングよりも早い、タイミングでゼット用スイッチ１３ｂに当接するように形成される。
【０１３７】
背面壁８２ｄは、操作レバー７５が初期位置から動作開始位置に向けて回転され、ゼット用スイッチ押し部７７ｃが、ゼット用スイッチ１３ｂの上端に当接した場合に、ゼット用スイッチ押し部７７ｃが、操作レバー７５の回転に対して相対的に回転可能となるように形成される。具体的には、背面壁８２ｄは、ゼット用スイッチ押し部７７ｃが、ゼット用スイッチ１３ｂを押さずに、操作レバー７５の回転に対して相対的に回転し、退避可能となるように形成される。
【０１３８】
なお、回転軸部７６は、複数の部材を接続することで形成されてもよく、例えば、左右方向に分かれた複数の部材によって形成されてもよい。
【０１３９】
押し部７７は、第１リム用スイッチ押し部７７ａと、第２リム用スイッチ押し部７７ｂと、ゼット用スイッチ押し部７７ｃとを備える。
【０１４０】
第１リム用スイッチ押し部７７ａは、第１切欠部８０に配置され、軸部８５によって回転可能に支持される。軸部８５は、左右方向に延び、回転軸部７６に形成された孔７６ａに挿入される。軸部８５は、第１リム用スイッチ押し部７７ａの回転軸が、回転軸部７６、すなわち操作レバー７５の回転軸よりも後方となるように設けられる。
【０１４１】
第２リム用スイッチ押し部７７ｂは、第２切欠部８１に配置され、軸部８６によって回転可能に支持される。軸部８６は、左右方向に延び、回転軸部７６に形成された孔７６ｂに挿入される。軸部８６は、第１リム用スイッチ押し部７７ａの回転軸が、操作レバー７５の回転軸よりも後方となるように設けられる。
【０１４２】
ゼット用スイッチ押し部７７ｃは、第３切欠部８２に配置され、軸部８７によって回転可能に支持される。軸部８７は、左右方向に延び、回転軸部７６に形成された孔７６ｃに挿入される。軸部８７は、ゼット用スイッチ押し部７７ｃの回転軸が、操作レバー７５の回転軸よりも後方となるように設けられる。
【０１４３】
各スイッチ押し部７７ａ〜７７ｃは、操作レバー７５の回転軸から偏心する回転軸を中心に回転する。各スイッチ押し部７７ａ〜７７ｃは、回転軸部７６の回転に対して、相対的に回転可能である。各スイッチ押し部７７ａ〜７７ｃは、下方から支持壁８０ｃ〜８２ｃによって支持された状態では、先端側が各切欠部８０〜８２から突出するように設けられる。
【０１４４】
各スイッチ押し部７７ａ〜７７ｃは、操作レバー７５が初期位置から動作開始位置まで回転される場合に、各スイッチ１３ａ、１３ｂを押すことなく、各スイッチ１３ａ、１３ｂの下方まで回転するように設けられる。
【０１４５】
スイッチ部１３は、リム用スイッチ１３ａと、ゼット用スイッチ１３ｂとを備える。リム用スイッチ１３ａおよびゼット用スイッチ１３ｂは、左右方向に並んで配置される。すなわち、スイッチ部１３は、左右方向に、リム用スイッチ１３ａとゼット用スイッチ１３ｂとが配置される横置きのスイッチである。リム用スイッチ１３ａは、ゼット用スイッチ１３ｂよりも手前側に配置される。
【０１４６】
リム用スイッチ１３ａの前端面１３ｃは、下端側が後方となるように傾斜したテーパ状に形成される。また、ゼット用スイッチ１３ｂの前端面１３ｄは、下端側が後方となるように傾斜したテーパ状に形成される。
【０１４７】
減速部７２は、回転軸部７６に取り付けられ、操作レバー７５が動作開始位置まで回転されて解放された場合に、バネ（不図示）によって回転部７１を初期位置に向けて付勢するとともに、予め設定された回転速度で初期位置まで戻るように制動力を発生させる。
【０１４８】
停電時洗浄機構４では、各スイッチ押し部７７ａ〜７７ｃの長さや、各切欠部８０〜８２の形状や、操作レバー７５が初期位置に戻る際の回転速度などを調整することで、各工程の洗浄水の流量、すなわち各工程のシーケンスを調整し、制御することができる。
【０１４９】
次に、第２実施形態に係る停電時洗浄機構４の動作について図２４Ａ〜図３２Ｃを参照し説明する。
【０１５０】
図２４Ａ〜図３２Ｃの図番に付した「Ａ」、「Ｂ」、「Ｃ」は、図２３におけるＡ−Ａ断面、Ｂ−Ｂ断面、Ｃ−Ｃ断面に対応している。例えば、図２４Ａは、図２３のＡ−Ａ断面図（その１）であり、図２４Ｂは、図２３のＢ−Ｂ断面図（その１）であり、図２４Ｃは、図２３のＣ−Ｃ断面図（その１）である。
【０１５１】
また、図２４Ａ〜図３２Ｃにおいて、同一の図番、例えば、「図２４Ａ〜図２４Ｃ」は、操作レバー７５の位置が同じ位置における各断面（Ａ−Ａ断面、Ｂ−Ｂ断面、Ｃ−Ｃ断面）を示している。
【０１５２】
操作レバー７５（図２３参照）が初期位置にある場合には、図２４Ａ〜図２４Ｃに示すように、各スイッチ押し部７７ａ〜７７ｃは、各スイッチ１３ａ、１３ｂに当接しておらず、各スイッチ１３ａ、１３ｂは押されない。
【０１５３】
操作レバー７５が初期位置から動作開始位置に向けて回転されると、第２リム用スイッチ押し部７７ｂが回転し、リム用スイッチ１３ａの上端に当接する。第２リム用スイッチ押し部７７ｂは、軸部８６の回転軸を中心に、操作レバー７５に対して相対的に回転可能であり、操作レバー７５の回転方向とは逆方向への回転が規制されていない。そのため、第２リム用スイッチ押し部７７ｂは、図２５Ａに示すように、リム用スイッチ１３ａの上端に当接した状態で、軸部８６の回転軸を中心に背面壁８１ｄ側に回転する。従って、リム用スイッチ１３ａは、第２リム用スイッチ押し部７７ｂによって押されることはない。
【０１５４】
また、図２５Ｃに示すように、ゼット用スイッチ押し部７７ｃが回転し、ゼット用スイッチ１３ｂの上端に当接する。ゼット用スイッチ押し部７７ｃは、第２リム用スイッチ押し部７７ｂと同様に、操作レバー７５に対して相対的に回転可能であり、操作レバー７５の回転方向とは逆方向への回転が規制されていない。そのため、ゼット用スイッチ１３ｂは、ゼット用スイッチ押し部７７ｃによって押されることはない。
【０１５５】
なお、図２５Ｂに示すように、第１リム用スイッチ押し部７７ａは、リム用スイッチ１３ａには当接していない。
【０１５６】
操作レバー７５がさらに初期位置から動作開始位置に向けて回転されると、図２６Ｂに示すように、第１リム用スイッチ押し部７７ａが回転し、リム用スイッチ１３ａの上端に当接する。第１リム用スイッチ押し部７７ａは、操作レバー７５に対して相対的に回転可能であり、操作レバー７５の回転方向とは逆方向への回転が規制されていない。そのため、リム用スイッチ１３ａは、第１リム用スイッチ押し部７７ａによって押されることはない。
【０１５７】
また、第２リム用スイッチ押し部７７ｂの軸部８６は、操作レバー７５とともに回転する。第２リム用スイッチ押し部７７ｂは、先端側がリム用スイッチ１３ａの上端に当接しており、操作レバー７５の回転に対して軸部８６の回転軸を中心に相対的に回転する。そのため、第２リム用スイッチ押し部７７ｂは、リム用スイッチ１３ａの上端との当接位置が変化し、図２６Ａに示すように、先端側でリム用スイッチ１３ａの上端と当接するようになる。なお、リム用スイッチ１３ａは、第２リム用スイッチ押し部７７ｂによって押されることはない。
【０１５８】
このように、操作レバー７５が動作開始位置に向けて回転されることで、第２リム用スイッチ押し部７７ｂと、リム用スイッチ１３ａの上端との当接位置は、徐々に第２リム用スイッチ押し部７７ｂの先端側に移動する。
【０１５９】
また、ゼット用スイッチ押し部７７ｃも、同様に、図２６Ｃに示すように、先端側でゼット用スイッチ１３ｂの上端と当接するようになる。なお、ゼット用スイッチ１３ｂは、ゼット用スイッチ押し部７７ｃによって押されることはない。
【０１６０】
操作レバー７５がさらに動作開始位置に向けて回転されると、第２リム用スイッチ押し部７７ｂと、リム用スイッチ１３ａの上端との当接位置とは、第２リム用スイッチ押し部７７ｂの先端側となり、やがて第２リム用スイッチ押し部７７ｂの先端が、リム用スイッチ１３ａの上端に当接しなくなる。
【０１６１】
これにより、第２リム用スイッチ押し部７７ｂは、自重によって軸部８６の回転軸を中心に、支持壁８１ｃ側に回転し、図２７Ａに示すように、支持壁８１ｃに当接する。なお、リム用スイッチ１３ａの前端面１３ｃは、テーパ状になっているため、第２リム用スイッチ押し部７７ｂは、リム用スイッチ１３ａを押すことなく、回転する。
【０１６２】
また、第１リム用スイッチ押し部７７ａは、図２７Ｂに示すように、リム用スイッチ１３ａの上端との当接位置が、第１リム用スイッチ押し部７７ａの先端側となる。また、ゼット用スイッチ押し部７７ｃは、図２７Ｃに示すように、ゼット用スイッチ１３ｂの上端との当接位置が、ゼット用スイッチ押し部７７ｃの先端側となる。なお、これらの状態でも、リム用スイッチ１３ａは、第１リム用スイッチ押し部７７ａに押されることはなく、ゼット用スイッチ１３ｂは、ゼット用スイッチ押し部７７ｃに押されることはない。
【０１６３】
操作レバー７５がさらに動作開始位置に向けて回転されると、ゼット用スイッチ押し部７７ｃが、ゼット用スイッチ１３ｂの上端に当接しなくなり、ゼット用スイッチ押し部７７ｃが、自重により、軸部８７の回転軸を中心に回転し、支持壁８２ｃに当接する。また、同様に、第１リム用スイッチ押し部７７ａが、リム用スイッチ１３ａの上端に当接しなくなり、第１リム用スイッチ押し部７７ａが、自重により、軸部８５の回転軸を中心に回転し、支持壁８０ｃに当接する。
【０１６４】
このように、操作レバー７５が動作開始位置まで回転された状態では、図２８Ａに示すように、第２リム用スイッチ押し部７７ｂは、支持壁８１ｃに当接し、図２８Ｂに示すように、第１リム用スイッチ押し部７７ａは、支持壁８０ｃに当接する。また、図２８Ｃに示すように、ゼット用スイッチ押し部７７ｃは、支持壁８２ｃに当接する。
【０１６５】
操作レバー７５が動作開始位置まで回転された後に、操作レバー７５が解放されると、回転部７１は、減速部７２によって回転速度が調整されつつ、初期位置に向けて回転する。
【０１６６】
操作レバー７５が初期位置に向けて回転すると、図２９Ｂに示すように、第１リム用スイッチ押し部７７ａが、下方を支持壁８０ｃに支持された状態、すなわち、下方への移動を支持壁８０ｃによって規制された状態で、操作レバー７５とともに回転し、リム用スイッチ１３ａの前端面１３ｃに当接する。
【０１６７】
なお、第２リム用スイッチ押し部７７ｂは、図２９Ａに示すように、下方を支持壁８１ｃに支持された状態で、操作レバー７５とともに回転する。また、ゼット用スイッチ押し部７７ｃは、図２９Ｃに示すように、下方を支持壁８２ｃに支持された状態で、操作レバー７５とともに回転する。
【０１６８】
操作レバー７５がさらに初期位置に向けて回転すると、第１リム用スイッチ押し部７７ａが、下方を支持壁８０ｃに支持された状態で回転するため、図３０Ｂに示すように、リム用スイッチ１３ａが第１リム用スイッチ押し部７７ａによって押される。これにより、洗浄工程が実行される。洗浄工程は、リム用スイッチ１３ａが第１リム用スイッチ押し部７７ａによって押されている間、実行される。
【０１６９】
なお、第２リム用スイッチ押し部７７ｂは、図３０Ａに示すように、リム用スイッチ１３ａに当接していない。また、ゼット用スイッチ押し部７７ｃは、図３０Ｃに示すように、下方を支持壁８２ｃに支持された状態で、ゼット用スイッチ１３ｂの前端面１３ｄに当接する。
【０１７０】
さらに、操作レバー７５が初期位置に向けて回転すると、第１リム用スイッチ押し部７７ａは、図３１Ｂに示すように、下方を支持壁８０ｃに支持された状態で回転し、リム用スイッチ１３ａの前端面１３ｃに当接しなくなり、洗浄工程が終了する。
【０１７１】
また、ゼット用スイッチ押し部７７ｃが、下方を支持壁８２ｃに支持された状態で回転するため、図３１Ｃに示すように、ゼット用スイッチ１３ｂが、ゼット用スイッチ押し部７７ｃに押される。これにより、排出工程が実行される。排出工程は、ゼット用スイッチ１３ｂがゼット用スイッチ押し部７７ｃによって押されている間、実行される。
【０１７２】
また、第２リム用スイッチ押し部７７ｂは、図３１Ａに示すように、下方を支持壁８１ｃに支持された状態で、リム用スイッチ１３ａの前端面１３ｃに当接する。
【０１７３】
さらに、操作レバー７５が初期位置に向けて回転すると、ゼット用スイッチ押し部７７ｃは、図３２Ｃに示すように、下方を支持壁８２ｃに支持された状態で回転し、ゼット用スイッチ１３ｂの前端面１３ｄに当接しなくなり、排出工程が終了する。
【０１７４】
また、第２リム用スイッチ押し部７７ｂは、下方を支持壁８１ｃに支持された状態で回転するため、図３２Ａに示すように、リム用スイッチ１３ａが、第２リム用スイッチ押し部７７ｂに押される。これにより、封水工程が実行される。封水工程は、リム用スイッチ１３ａが第２リム用スイッチ押し部７７ｂによって押されている間、実行される。なお、第１リム用スイッチ押し部７７ａは、図３２Ｂに示すように、支持壁８０ｃによって下方を支持された状態で、回転する。
【０１７５】
さらに、操作レバー７５が初期位置に向けて回転すると、第２リム用スイッチ押し部７７ｂが、下方を支持壁８１ｃによって支持された状態で回転し、リム用スイッチ１３ａの前端面１３ｃに当接しなくなり、封水工程が終了する。
【０１７６】
停電時洗浄機構４は、操作レバー７５が初期位置から動作開始位置まで操作される場合に、操作レバー７５の回転に対して各スイッチ押し部７７ａ〜７７ｃを相対的に回転させて退避させる。これにより、操作レバー７５が初期位置から動作開始位置まで回転される場合に、各スイッチ１３ａ、１３ｂが押されることを防止することができる。
【０１７７】
また、停電時洗浄機構４は、操作レバー７５が動作開始位置から初期位置に向けて回転する場合に、操作レバー７５の回転に対する各スイッチ押し部７７ａ〜７７ｃの相対的な回転を規制することで、洗浄工程、排水工程、および封水工程を自動的に実行することができる。
【０１７８】
なお、複数工程は、洗浄工程、排出工程、封水工程に限られることない。例えば、複数工程は、異なるリム吐水口から洗浄水を吐出させる工程であってもよい。
【０１７９】
また、洗浄工程と封水工程との間で、リム吐水口２６から、洗浄工程などよりも少ない流量の洗浄水を吐出させてもよい。
【０１８０】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１８１】
１      水洗大便器
２      便器本体
４      停電時洗浄機構
１１    回転部
１２    プレートずらし部
１３    スイッチ部
１３ａ  リム用スイッチ
１３ｂ  ゼット用スイッチ
２１    ボウル部
２３    排水トラップ管路
２４    ゼット吐水口
２６    リム吐水口
４０    操作レバー
４１    プッシュプレート
４２    プレート押し上げ部
４７    渦巻きバネ
５１    スイッチ押し部
５１ａ  第１リム用スイッチ押し部
５１ｂ  第２リム用スイッチ押し部
５１ｃ  ゼット用スイッチ押し部
８０    第１切欠部
８０ｃ  支持壁
８１    第２切欠部
８１ｃ  支持壁
８２    第３切欠部
８２ｃ  支持壁
【図１】
2019167752.tif 000003
【図２】
2019167752.tif 000004
【図３】
2019167752.tif 000005
【図４】
2019167752.tif 000006
【図５】
2019167752.tif 000007
【図６】
2019167752.tif 000008
【図７】
2019167752.tif 000009
【図８】
2019167752.tif 000010
【図９】
2019167752.tif 000011
【図１０】
2019167752.tif 000012
【図１１】
2019167752.tif 000013
【図１２】
2019167752.tif 000014
【図１３】
2019167752.tif 000015
【図１４】
2019167752.tif 000016
【図１５】
2019167752.tif 000017
【図１６】
2019167752.tif 000018
【図１７Ａ】
2019167752.tif 000019
【図１７Ｂ】
2019167752.tif 000020
【図１７Ｃ】
2019167752.tif 000021
【図１８】
2019167752.tif 000022
【図１９】
2019167752.tif 000023
【図２０】
2019167752.tif 000024
【図２１】
2019167752.tif 000025
【図２２】
2019167752.tif 000026
【図２３】
2019167752.tif 000027
【図２４Ａ】
2019167752.tif 000028
【図２４Ｂ】
2019167752.tif 000029
【図２４Ｃ】
2019167752.tif 000030
【図２５Ａ】
2019167752.tif 000031
【図２５Ｂ】
2019167752.tif 000032
【図２５Ｃ】
2019167752.tif 000033
【図２６Ａ】
2019167752.tif 000034
【図２６Ｂ】
2019167752.tif 000035
【図２６Ｃ】
2019167752.tif 000036
【図２７Ａ】
2019167752.tif 000037
【図２７Ｂ】
2019167752.tif 000038
【図２７Ｃ】
2019167752.tif 000039
【図２８Ａ】
2019167752.tif 000040
【図２８Ｂ】
2019167752.tif 000041
【図２８Ｃ】
2019167752.tif 000042
【図２９Ａ】
2019167752.tif 000043
【図２９Ｂ】
2019167752.tif 000044
【図２９Ｃ】
2019167752.tif 000045
【図３０Ａ】
2019167752.tif 000046
【図３０Ｂ】
2019167752.tif 000047
【図３０Ｃ】
2019167752.tif 000048
【図３１Ａ】
2019167752.tif 000049
【図３１Ｂ】
2019167752.tif 000050
【図３１Ｃ】
2019167752.tif 000051
【図３２Ａ】
2019167752.tif 000052
【図３２Ｂ】
2019167752.tif 000053
【図３２Ｃ】
2019167752.tif 000054